(57)【要約】【課題】演出表示装置の表示画面の前方において上下に移動する可動体による変化に富んだ演出を遊技者に提供できる遊技機を得る。【解決手段】遊技機枠に取付けられた遊技盤と、遊技盤の略中央部に形成された開口と、開口の後方に設けられた演出表示装置と、開口を介して目視可能に配置された演出表示装置の表示画面と、下可動体５０１と、下可動体を駆動する下可動体駆動装置５０２と、下可動体駆動装置５０２を制御する制御装置とを備え、下可動体５０１は、遊技盤の盤面と交差して延長するように設けられた回転中心軸５４０を介して回転可能に設けられた左右対称の一対の左回転体及び右回転体（炎回転飾り５０４）を備え、左回転体及び右回転体は、下可動体５０１が遊技盤の開口の下縁側より表示画面の中央側の前方に移動するのに伴って互いに近づく方向に回転するように構成された。【選択図】図４
2014004132.tif 000002
【特許請求の範囲】
【請求項１】
遊技機枠に取付けられた遊技盤と、前記遊技盤の略中央部において当該遊技盤を前後に貫通するように形成された開口と、前記開口の後方に設けられた演出表示装置と、前記遊技盤の前方から遊技者が当該遊技盤の開口を介して目視可能なように配置された前記演出表示装置の表示画面と、前記遊技盤の後方でかつ前記表示画面の前方に配置され前記遊技盤の開口の下縁側より前記表示画面の中央側の前方に移動可能に構成された下可動体と、前記下可動体を駆動する下可動体駆動装置と、前記下可動体駆動装置を制御する制御装置とを備え、
前記下可動体は、前記遊技盤の盤面と交差して延長するように設けられた回転中心軸を介して回転可能に設けられた左右対称の一対の左回転体及び右回転体を備え、前記左回転体及び右回転体は、前記下可動体が前記遊技盤の開口の下縁側より前記表示画面の中央側の前方に移動するのに伴って互いに近づく方向に回転するように構成されたことを特徴とする遊技機。
【請求項２】
前記下可動体は、飾り取付板と、当該飾り取付板の前面に設けられた固定飾りと、前記飾り取付板の裏面に前記回転中心軸を介して回転可能に設けられた前記左回転体及び右回転体とを備え、当該左回転体及び右回転体は、前記固定飾りを強調する形状に形成されたことを特徴とする請求項１に記載の遊技機。
【請求項３】
前記固定飾りはチャンピオンベルト飾りに形成され、前記左回転体及び右回転体は前記チャンピオンベルト飾りを強調する炎形状回転飾りに形成されたことを特徴とする請求項２に記載の遊技機。
【発明の詳細な説明】
【技術分野】
【０００１】
本発明は、可動体を備えた遊技機に関する。
【背景技術】
【０００２】
遊技機の一例としてのパチンコ機において、ステージの背後かつ表示装置の表示画面の前方で上下に移動する可動体（特許文献１参照）や、表示装置の前方かつステージの背後に出没する可動体（特許文献２参照）を備えたパチンコ機が知られている。
【先行技術文献】
【特許文献】
【０００３】
【特許文献１】特開２０１１−１８３０５１号公報
【特許文献２】特開２０１１−１１０２１２号公報
【発明の概要】
【発明が解決しようとする課題】
【０００４】
特許文献１や特許文献２の可動体は表示装置の表示画面の前方において上下に移動するだけであり、変化に富んだ演出を提供し難いといった課題があった。
本発明は、演出表示装置の表示画面の前方において上下に移動する可動体による変化に富んだ演出を遊技者に提供できる遊技機を得ることを目的とする。
【課題を解決するための手段】
【０００５】
前記課題を解決するための遊技機に係る構成として、遊技機枠に取付けられた遊技盤と、遊技盤の略中央部において当該遊技盤を前後に貫通するように形成された開口と、開口の後方に設けられた演出表示装置と、遊技盤の前方から遊技者が当該遊技盤の開口を介して目視可能なように配置された演出表示装置の表示画面と、遊技盤の後方でかつ表示画面の前方に配置され遊技盤の開口の下縁側より表示画面の中央側の前方に移動可能に構成された下可動体と、下可動体を駆動する下可動体駆動装置と、前記下可動体駆動装置を制御する制御装置とを備え、下可動体は、遊技盤の盤面と交差して延長するように設けられた回転中心軸を介して回転可能に設けられた左右対称の一対の左回転体及び右回転体を備え、左回転体及び右回転体は、下可動体が遊技盤の開口の下縁側より表示画面の中央側の前方に移動するのに伴って互いに近づく方向に回転するように構成されたので、下可動体の上方への移動と左回転体及び右回転体の回転とによる特徴的な協働演出が可能となり、変化に富んだ演出を遊技者に提供できる。
また、下可動体は、飾り取付板と、当該飾り取付板の前面に設けられた固定飾りと、飾り取付板の裏面に回転中心軸を介して回転可能に設けられた前記左回転体及び右回転体とを備え、当該左回転体及び右回転体は、固定飾りを強調する形状に形成されたので、左回転体及び右回転体で固定飾りを強調できる特徴的な協働演出が可能となる。
さらに、固定飾りはチャンピオンベルト飾りに形成され、左回転体及び右回転体はチャンピオンベルト飾りを強調する炎形状回転飾りに形成されたので、左右の炎回転飾りでチャンピオンベルト飾りを強調できる特徴的な協働演出が可能となる。
尚、上記発明の概要は、本発明の必要な特徴の全てを列挙したものではなく、特徴群を構成する個々の構成もまた発明となり得る。
【発明の効果】
【０００６】
本発明によれば、演出表示装置の表示画面の前方において、上下に移動する可動体による変化に富んだ演出を実行可能な遊技機を提供することができる。
【図面の簡単な説明】
【０００７】
【図１】パチンコ機の斜視図。
【図２】遊技盤ユニットの分解斜視図。
【図３】各可動体の初期位置状態及び遊技盤の盤面を遊技盤の前側から見た図。
【図４】下可動体ユニットの分解斜視図。
【図５】下可動体ユニットの動力伝達機構を示す斜視図。
【図６】下可動体ユニットを前側から見た動作説明図。
【図７】下可動体ユニットを裏側から見た動作説明図。
【図８】パチンコ機の制御系統を示すブロック構成図。
【図９】可動体ユニットの演出作動状態の一例を遊技盤の前側から見た図。
【発明を実施するための形態】
【０００８】
以下、図１〜図９を参照し、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
尚、以下の説明において遊技機の一例としてのパチンコ機の各部の左右方向は、そのパチンコ機に対面する遊技者にとっての左右方向に一致させて説明する。
【０００９】
図１に示すように、本実施形態に係る遊技機の一例としてのパチンコ機１は、遊技場の島設備に設置される縦長方形状の機枠２と、この機枠２に開き戸状に開閉自在に取付けられた本体枠３と、当該本体枠３の内側に装着された遊技盤ユニット２９と、本体枠３の前面に開き戸状に開閉自在に取付けられ、中央に大きく窓４Ａが設けられたパネル扉４と、パネル扉４の下側において本体枠３の前面に開き戸状に開閉自在に取付けられ、遊技球（所謂「パチンコ球」、以下単に「球」という）を収容する受皿６を有する前面ボード５と、本体枠３の下部に配設された発射装置７Ｂ（図８参照）と、前面ボード５に取付けられた発射操作ハンドル７と、パネル扉４の左右の上部にそれぞれ設けられたスピーカ８と、パネル扉４の周囲に配設された図外の複数のランプを備える。機枠２と本体枠３とパネル扉４と前面ボード５とで遊技機枠が構成される。
【００１０】
遊技機枠の一部である受皿６の例えば前縁には、遊技者が操作可能なように操作部９が設けられている。操作部９は、後述の演出表示装置５０上に表示されるカーソル等を移動するためのダイアル部９Ａと、ダイアル部９Ａによって移動されたカーソルと対応する項目を選択する際や、演出表示装置５０上において展開される多様なボタン演出の際に押下されるボタン９Ｂとから構成される。
【００１１】
パチンコ機１の背面側には、制御装置９９が設けられている。制御装置９９としては、図８に示すように、主制御装置１００と、副制御装置を構成する演出制御装置２００と、払出制御装置３００とを備える。主制御装置１００、演出制御装置２００、払出制御装置３００は何れもＣＰＵと、コンピュータプログラム及び遊技処理，演出処理，払出処理に必要なデータを格納したＲＯＭと、ＣＰＵがＲＯＭに格納されたコンピュータプログラムに従って処理を行うための一時記憶領域であるＲＡＭとを備えるマイクロコンピュータである。尚、主制御装置１００、演出制御装置２００及び払出制御装置３００の各制御装置は、図外の電源供給装置からの電力供給により駆動し、供給された電力は出力側に接続された各機器に供給される。
【００１２】
主制御装置１００は、パチンコ機１の全体を統括して制御する。演出制御装置２００は、スピーカ８、後述する複数の可動体、演出表示装置５０、遊技盤２０に設けられたランプ８８（図３参照）や遊技機枠や可動体に設けられた図外のランプ等の演出部品を制御して、音演出、各可動体を動かす可動体演出、演出表示装置５０の表示画面５１に画像を表示する画像演出、光演出を制御する。払出制御装置３００は、図８に示すように、賞球払出装置３０１を制御するとともに、発射操作ハンドル７の操作に基づく発射ボリューム（可変抵抗器）７Ａからの信号を入力して発射装置７Ｂの発射力を制御する。
【００１３】
受皿６に収容された球は、発射装置７Ｂに１個ずつ供給される。そして、図８に示すように、払出制御装置３００は、発射操作ハンドル７の回転操作量に対応して増減する発射ボリューム７Ａからの入力に基づいて所定の発射力で球が発射装置７Ｂから発射されるように図外の発射モーターを駆動制御するとともに、払出計数スイッチ３０２からの信号を入力して賞球払出装置３０１を制御する。また、払出制御装置３００は、発射操作ハンドル７の周面上に設けられた発射停止スイッチ７Ｃや発射操作ハンドル７の内部に配設されたタッチセンサ７Ｄからの信号を入力して、発射停止及び発射開始を制御する。
【００１４】
図２に示すように、遊技機枠に取付けられた遊技盤ユニット２９は、遊技盤２０と、可動体ユニット設置空間形成用筐体３１と、複数の可動体ユニット５００；６００；６００Ａと、演出表示装置５０とを備える。
【００１５】
図２；図３に示すように、遊技機枠に取付けられた遊技盤２０は、光透過性を有した矩形平板により形成された遊技基板１８の前面となる盤面１９に、ガイドレール２１、遊技球規制レール２２、第１特別図柄表示装置４０Ａ、第２特別図柄表示装置４０Ｂ、普通図柄表示装置４１、第１始動入賞口（始動口）３０Ａ、第２始動入賞口（始動口）３０Ｂ、第１大入賞口３５Ａ、第２大入賞口３５Ｂ、複数の一般入賞口３６、アウト口６８、複数の遊技釘７５及び風車７６、センター飾り枠８０等の遊技部品を備えた構成である。
第１始動入賞口３０Ａ、第２始動入賞口３０Ｂ、第１大入賞口３５Ａ、第２大入賞口３５Ｂ、一般入賞口３６のそれぞれには、球の通過を検出する第１始動入賞口検出センサ９１、第２始動入賞口検出センサ９２、第１大入賞口検出センサ９３、一般入賞口検出センサ９５、第２大入賞口検出センサ９６が内蔵されている。これらの検出センサ９１；９２；９３；９５；９６は、例えば球の通過に伴い球検出信号（電気信号）を出力する磁気センサであり、その球検出信号は主制御装置１００に入力される（図８参照）。
【００１６】
遊技基板１８の盤面１９の周縁部にガイドレール２１と遊技球規制レール２２とが設けられ、これらガイドレール２１と遊技球規制レール２２とによって盤面１９の領域が盤面１９の中央部を中心とする略円形状に囲まれて区画された遊技領域２０Ａが形成されている。当該遊技領域２０Ａ内の盤面１９に、上述した遊技部品が設けられる。
【００１７】
図２に示すように、センター飾り枠８０は、遊技盤２０の遊技基板１８を貫通するように設けられた開口３４の周縁に位置する盤面１９より前方に突出する枠体である。開口３４は、遊技盤２０の中央側において遊技盤２０を前後に貫通するように形成される。この開口３４は、遊技盤２０の釘や役物の配置、遊技仕様、遊技盤面のデザイン等の影響により各パチンコ機の機種毎に上下左右にずれるものの、遊技盤の略中央部に形成される。
センター飾り枠８０は枠の外側に張り出すように設けられた取付フランジ８５を備え、取付フランジ８５が盤面１９にねじ等で固定されることにより盤面１９に取付けられる。センター飾り枠８０は、下部枠にステージ部８１を備えるとともに、左枠部にステージ部８１への球の導入路８２を備える。
【００１８】
遊技盤２０の後方に配置される可動体ユニット設置空間形成用筐体３１は、図２に示すように、前側開口３１０の有底箱状に形成され、後側の底面３１１には、演出表示装置５０の表示画面５１を遊技盤２０の開口３４を介して前方から見えるように位置させるための表示孔３１２を備える。
演出表示装置５０は遊技盤２０の開口３４の後方に設けられ、遊技盤２０の前方から遊技者が遊技盤２０の開口３４及び表示孔３１２を介して表示画面５１を目視可能なように演出表示装置５０が可動体ユニット設置空間形成用筐体３１の裏面に取付けられている。
【００１９】
センター飾り枠８０の前面と窓４Ａとの間の隙間寸法、及び、ステージ部８１の庇部８１ｃの前端面と窓４Ａとの間の隙間寸法は、一個の球の直径よりも小さい寸法に形成されている。従って、センター飾り枠８０の周囲の遊技領域２０Ａを流下する球は、導入路８２以外からはセンター飾り枠８０の内側に導かれることはない。また、ステージ部８１に入り込んだ球は庇部８１ｃよりも上方に移動することはなく、ステージ部８１の下方の遊技領域２０Ａに落下する。即ち、遊技領域２０Ａを流下する球が遊技盤２０の開口３４の内側に入り込むことはない。
尚、センター飾り枠８０は、遊技盤２０の開口３４の上縁、左縁、右縁より前方に突出するように設けられた構成、或いは、遊技盤２０の開口３４の上縁、左縁より前方に突出するように設けられた構成である。センター飾り枠８０が、遊技盤２０の開口３４の上縁、左縁より前方に突出するように設けられた構成の場合、遊技盤２０の開口３４の右縁より前方に突出する右側飾り枠は、右可動体ユニット６００の図外の後側ベース板より前方に延長するように設けられた飾り枠６９０（図２参照）により構成される。
【００２０】
第１始動入賞口３０Ａ，第２始動入賞口３０Ｂは、遊技領域２０Ａの中央部において上下方向に分かれて配設される。第１始動入賞口３０Ａ又は第２始動入賞口３０Ｂに球が入賞すると、主制御装置１００によって特別図柄抽選（以下、特図抽選という）等の各種の抽選処理が実行され、当該各種の抽選処理の結果が特別図柄表示装置４０Ａ；４０Ｂや演出表示装置５０上に反映されて表示される。また、第１始動入賞口３０Ａ又は第２始動入賞口３０Ｂに球が入賞すると予め設定された所定の個数（例えば３個）の賞球が、払出制御装置３００の制御によって動作する賞球払出装置３０１によって遊技者に対して払い出される。
【００２１】
また、第２始動入賞口３０Ｂには、電動チューリップと称される開閉体が設けられている。図３に示すように、当該電動チューリップは、ソレノイド等により構成される電動チューリップ駆動装置６５Ａ（図８参照）により開閉される。電動チューリップ駆動装置６５Ａは、主制御装置１００が備える図外の電動チューリップ制御手段１７０により制御され、開閉体を所定の回数及び所定の間隔で開放動作させる。
【００２２】
第１大入賞口３５Ａは、遊技領域２０Ａにおける第２始動入賞口３０Ｂの下方に配設される。第１大入賞口３５Ａは、所謂大当り遊技の場合に開放する開閉体を有している。当該開閉体は、ソレノイド等により構成されるアタッカ駆動装置６５Ｂにより開閉される。また、アタッカ駆動装置６５Ｂは、大当り遊技時において主制御装置１００が備える図外の特別遊技制御手段によって制御され、第１大入賞口３５Ａを閉塞する開閉体を所定の回数及び所定の間隔で開放動作させる。また、第１大入賞口３５Ａに球が入賞すると予め設定された所定の個数（例えば１５個）の賞球が賞球払出装置３０１によって遊技者に対して払い出される。
【００２３】
第２大入賞口３５Ｂは、遊技領域２０Ａにおける右側下部に配設される。第２大入賞口３５Ｂは、前記同様に所謂大当り遊技の場合に開放する開閉体を有しており、大当り遊技において前述のアタッカ駆動装置６５Ｂにより所定の回数及び所定の間隔で開放される。また、第２大入賞口３５Ｂに球が入賞すると予め設定された所定の個数（例えば１５個）の賞球が賞球払出装置３０１によって遊技者に対して払い出される。
【００２４】
複数の一般入賞口３６は、遊技領域２０Ａの左側下部に所定の間隔を空けて配設される。当該一般入賞口３６に球が入賞すると予め設定された所定の個数（例えば３個）の賞球が遊技者に対して払い出される。
【００２５】
次に、遊技盤２０に配設される各種の表示装置について説明する。遊技盤２０には、第１特別図柄表示装置４０Ａ、第２特別図柄表示装置４０Ｂ、普通図柄表示装置４１及び演出表示装置５０が配設されている。
【００２６】
第１特別図柄表示装置４０Ａは、遊技盤２０の右側下部に配設されるデジタル表示器であって、第１始動入賞口３０Ａへの遊技球の入賞を契機に、主制御装置１００により行われる特図抽選（第１特図抽選）の結果を表示する。当該第１特別図柄表示装置４０Ａは、例えば「−」と「○」の点灯表示可能な表示器であって、上述の第１特図抽選の結果を示す態様でいずれかの記号を点灯表示する。ここで、例えば第１特図抽選の結果が「外れ」である場合には「−」が停止表示され、「当り」である場合には「○」が停止表示される。
【００２７】
第２特別図柄表示装置４０Ｂは、第１特別図柄表示装置４０Ａの下方に配設されるデジタル表示器であって、第２始動入賞口３０Ｂへの遊技球の入賞を契機に、主制御装置１００により行われる特図抽選（第２特図抽選）の結果を表示する。当該第２特別図柄表示装置４０Ｂは、前述の第１特別図柄表示装置４０Ａと同様に「−」と「○」の点灯表示可能な表示器であって、第２特図抽選の結果を示す態様でいずれかの記号を点灯表示する。ここで、第２特図抽選の結果が「外れ」である場合には「−」が停止表示され、「当り」である場合には「○」が停止表示される。
尚、第１特別図柄表示装置４０Ａ及び第２特別図柄表示装置４０Ｂの構成としては、７セグメント表示器や、複数のランプにより構成された表示器であってもよく、特定の数字の組み合わせや、ランプの点灯態様により抽選の結果を示すものであってもよい。
【００２８】
第１特別図柄表示装置４０Ａ、第２特別図柄表示装置４０Ｂは、主制御装置１００の変動表示制御手段１３０（図８参照）により制御される。変動表示制御手段１３０は、第１特図抽選又は第２特図抽選の結果に応じて所定の変動時間を決定し、当該所定の変動時間だけ第１特別図柄表示装置４０Ａ、第２特別図柄表示装置４０Ｂを変動させた後に停止表示させる。ここで、第１特別図柄及び第２特別図柄の変動時間は、第１特別図柄表示装置４０Ａ又は第２特別図柄表示装置４０Ｂの「−」と「○」が交互に高速で点滅する状態であり、変動停止は、変動時間後にいずれかの記号が点灯表示される状態である。
【００２９】
演出表示装置５０は、遊技盤２０の略中央部に配設される表示装置であって、本実施形態においては液晶表示装置が採用されている。演出表示装置５０は、上述の第１特別図柄又は第２特別図柄の変動時間に対応して特定の数字及びキャラクター等からなる複数の演出図柄Ｓを上下方向にスクロール表示し、第１特別図柄又は第２特別図柄の変動停止時期と略同期して演出図柄Ｓを停止表示する。ここで、第１特図抽選又は第２特図抽選の結果が「当り」である場合の演出図柄Ｓの停止態様は、３つの演出図柄Ｓが予め設定されたライン上において同一の数字又はキャラクターで停止した態様である（図３参照）。一方、「外れ」である場合の停止態様は、上記以外の態様で停止した態様である。
【００３０】
図８に示すように、演出表示装置５０は、主制御装置１００から送信される演出コマンドを受信した演出制御装置２００の演出図柄制御部２１０から送信される各種のコマンドに基づいて制御される。例えば、演出図柄制御部２１０から送信される演出用のコマンドには、演出図柄Ｓの変動時間情報や停止図柄情報或いは変動時間中において表示される多様なリーチパターン情報等の演出表示に必要な各種の情報が含まれる。演出表示装置５０側では、当該コマンドに含まれる情報を解析した上で必要な画像データや動画データ等を読み出し、当該データを表示画面上に出力することにより遊技者に対して多様な演出表示を提供する。また演出図柄制御部２１０から送信されるコマンドとしては、大当り遊技開始時において送信される大当り遊技実行用のコマンドや、遊技中の異常を知らせるエラー表示用のコマンド等も存在する。
また、演出制御装置２００の音声制御部２２０は、演出図柄制御部２１０から送信される内部コマンドに応じて演出図柄Ｓの変動時間や演出に対応した音声データを読み出してスピーカ８を制御することにより遊技進行中において遊技を盛り上げる音声を提供する。
また、演出制御装置２００の可動体制御部２３０は、演出図柄制御部２１０から送信される内部コマンドに応じて後述する複数の可動体を所定の態様により動作させ、その動作態様によって遊技を盛り上げる。
【００３１】
また、演出制御装置２００は、後述する複数の可動体駆動装置の駆動源となる各モーターを駆動制御し、演出図柄Ｓが変動表示されてから停止表示されるまでの間に可動体の動作パターンによって遊技を盛り上げる。以下、本実施形態に係るパチンコ機１に搭載された多様な可動体ユニットについて詳説する。
【００３２】
図２に示すように、可動体ユニット設置空間形成用筐体３１の前側開口３１０の開口縁には当該可動体ユニット設置空間形成用筐体３１を遊技盤２０の裏面に取付けるための例えば取付フランジ３１３が設けられ、当該取付フランジ３１３が遊技盤２０の裏面の周縁部にねじ等で取付けられることで可動体ユニット設置空間形成用筐体３１が遊技盤２０の裏面に取付けられ、遊技盤２０と可動体ユニット設置空間形成用筐体３１とで形成された遊技盤２０の後方で、かつ、可動体ユニット設置空間形成用筐体３１の内側の収容空間３１４に複数の可動体ユニットが配置され、複数の可動体ユニットが遊技盤２０の裏面又は可動体ユニット設置空間形成用筐体３１に固定状態に取付けられる。
【００３３】
当該複数の可動体ユニットとしては、下可動体ユニット５００、左可動体ユニット６００Ａ、右可動体ユニット６００を備える。
複数の各可動体ユニットは、それぞれ、可動体、可動体駆動装置を備える。
即ち、複数の各可動体ユニット毎に設けられて、遊技盤２０の後方でかつ演出表示装置５０の表示画面５１の前方に配置された複数の可動体と、複数の可動体毎に設けられた複数の可動体駆動装置と、複数の可動体駆動装置を制御する制御装置としての演出制御装置２００を備え、複数の可動体として、遊技盤２０の開口３４の下縁側より表示画面５１の中央側の前方に移動可能に構成された下可動体５０１と、遊技盤２０の開口３４の左縁側より表示画面５１の中央側の前方に移動可能に構成された左可動体６０１Ａと、遊技盤２０の開口３４の右縁側より表示画面５１の中央側の前方に移動可能に構成された右可動体６０１とを備えている。
【００３４】
図３に示すように、下可動体ユニット５００は、遊技盤２０の開口３４の下縁の下方側に位置する遊技盤２０の裏側の収容空間３１４に配置されて遊技盤２０又は可動体ユニット設置空間形成用筐体３１に取付けられ、初期位置状態においては、後述する下可動体５０１のチャンピオンベルト飾り５０３の上端側が遊技盤２０の開口３４の下縁の上方に位置されるステージ部８１の中央部よりも上方に位置されて遊技者から目視可能となり、かつ、演出作動状態においては、下可動体５０１がステージ部８１の中央部よりも上方でかつ演出表示装置５０の表示画面５１の中央側の前方に位置されて遊技者から目視可能となるように構成される。
左可動体ユニット６００Ａは、遊技盤２０の開口３４の左縁側における遊技盤２０の裏側の収容空間３１４に配置されて遊技盤２０又は可動体ユニット設置空間形成用筐体３１に取付けられ、初期位置状態においては、右可動体６０１と左右対称な左可動体６０１Ａが遊技盤２０の開口３４の左縁前方を装飾するセンター飾り枠８０の左飾り部８４の右端より遊技盤２０の中央側に位置されて遊技者から目視可能となり、かつ、演出作動状態においては、左可動体６０１Ａが右方に移動して左可動体６０１Ａが演出表示装置５０の表示画面５１の中央側の前方に位置されて遊技者から目視可能となるように構成される。
右可動体ユニット６００は、遊技盤２０の開口３４の右縁側における遊技盤２０の裏側の収容空間３１４に配置されて遊技盤２０又は可動体ユニット設置空間形成用筐体３１に取付けられ、初期位置状態においては、右可動体６０１が遊技盤２０の開口３４の右縁より遊技盤２０の中央側に位置されて遊技者から目視可能となり、かつ、演出作動状態においては、右可動体６０１が左方に移動して右可動体６０１が演出表示装置５０の表示画面５１の中央側の前方に位置されて遊技者から目視可能となるように構成される。
【００３５】
下可動体ユニット５００について説明する。図４に示すように、下可動体ユニット５００は、下可動体５０１と下可動体駆動装置５０２とを備える。
下可動体５０１は、例えば、チャンピオンベルトの形をしたチャンピオンベルト飾り５０３と、炎の形をした左右の炎回転飾り５０４；５０４と、チャンピオンベルト飾り５０３（図６参照）と炎回転飾り５０４とが取付けられる飾り取付板５０５とを備える。
尚、チャンピオンベルト飾り５０３は、光非透過性材料により形成された光非透過部５０３ａと光透過性材料により形成された光透過部５０３ｂとを備え、光透過部５０３ｂの裏側の凹部空間に図外の光源が設置され、当該光源からの光が光透過部５０３ｂを透過してチャンピオンベルト飾り５０３の前方に透過するように構成されている（図６（ａ）参照）。
【００３６】
下可動体駆動装置５０２は、チャンピオンベルト飾り５０３と炎回転飾り５０４とが取付けられた飾り取付板５０５を上下動させる飾り取付板駆動装置５０６と、炎回転飾り５０４を回転駆動させる炎回転飾り駆動装置５０７とを備える。
【００３７】
飾り取付板駆動装置５０６は、ベース板５０８、駆動源としてのステップモータ等のモーター５０９と、伝達機構５１０と、リンク装置５１１と、演出表示装置５０の表示画面５１に平行に取付けられて上下方向に延長するレール５１２と、レール５１２上を移動するスライダー５１３とを備える。スライダー５１３はレール５１２の延長方向に移動可能でレール５１２から脱落不能に設けられる。
【００３８】
ベース板５０８は、前側ベース板５１５と後側ベース板５１６とを備える。
伝達機構５１０は、モーター５０９の回転力をリンク装置５１１に伝達する伝達歯車群等により構成され、例えば、モーター５０９の出力軸に回転可能に取付けられた出力歯車５２０、最終歯車５２１により構成される。
【００３９】
リンク装置５１１は、長尺な板状のリンク５２２と、最終歯車５２１を形成する円板の前面における周縁部より前方に突出して延長するように設けられた歯車側伝達軸５２３と、飾り取付板５０５の下端左側前面より前方に突出するように設けられた下可動体側伝達軸５２４と、後側ベース板５１６の前面より前方に突出して延長するように設けられたリンク回転中心軸５２５とを備える。
リンク５２２の長手方向の一端寄り中央側にはリンク回転中心軸５２５が貫通する回転中心孔５２６が形成され、リンク５２２の長手方向の他端側には下可動体側伝達軸５２４が貫通する長孔５２７が形成され、リンク５２２の長手方向の一端側には歯車側伝達軸５２３が貫通する長孔５２８が形成される。
【００４０】
後側ベース板５１６の前面の中央部には、上下方向に延長するようにレール５１２が取付けられる。後側ベース板５１６の前面の左側下部には、最終歯車５２１の回転中心軸５３０と、リンク回転中心軸５２５とが後側ベース板５１６の前面から前方に突出するように設けられる。
前側ベース板５１５が後側ベース板５１６の前側に配置され、前側ベース板５１５と後側ベース板５１６とが前後に所定間隔隔てて互いに平行に対向するように止めネジ等で互いに連結されている。
前側ベース板５１５の前面にはモーター５０９が固定状態に付けられ、モーター５０９の出力軸５３１が前側ベース板５１５に形成された孔を貫通して当該出力軸５３１の先端側に出力歯車５２０が取付けられる。この出力歯車５２０の回転力をリンク５２２に伝達する最終歯車５２１が回転中心軸５３０を回転中心として回転可能なように後側ベース板５１６の前面に設けられる。そして、リンク５２２の回転中心軸５２５がリンク５２２の回転中心孔５２６を貫通し、下可動体側伝達軸５２４がリンク５２２の他端側の長孔５２７を貫通し、歯車側伝達軸５２３がリンク５２２の一端側の長孔５２８を貫通した状態で、後側ベース板５１６と前側ベース板５１５とが所定の位置関係に連結される。これにより、リンク５２２が回転中心軸５２５を回転中心として回転可能に設けられ、下可動体側伝達軸５２４がリンク５２２の長孔５２７内を移動可能に設けられ、歯車側伝達軸５２３がリンク５２２の長孔５２８内を移動可能に設けられたリンク装置５１１が構成される。
また、後側ベース板５１６の前面に上下方向に延長するようにレール５１２が設けられ、レール５１２上を移動するスライダー５１３が飾り取付板５０５の裏面に連結されている。
よって、モーター５０９の回転力が歯車側伝達軸５２３、リンク５２２、下可動体側伝達軸５２４に伝達されて下可動体５０１がレール５１２に沿って演出表示装置５０の表示画面５１に平行に上下方向に移動可能な下可動体ユニット５００が構成される。
【００４１】
従って、図６（ａ）に示すように、飾り取付板５０５が最下位置にある状態でリンク５２２の左端が当該左端の最上位置に位置されてかつリンク５２２の右端が当該右端の最下位置に位置された初期位置状態から、モーター５０９が一方方向に回転すると、最終歯車５２１が右回転し、歯車側伝達軸５２３が長孔５２８の内壁を押圧するとリンク５２２がリンク回転中心軸５２５を回転中心として回転してリンク５２２の左端を下方に移動させることでリンク５２２の右端が上方に移動することにより、長孔５２７の内壁が下可動体側伝達軸５２４を押し上げるので、飾り取付板５０５に当該飾り取付板５０５を上方に移動させる力が伝達され、飾り取付板５０５の裏面に取付けられたスライダー５１３がレール５１２上を上方に移動するので、下可動体５０１が上方に移動して演出作動状態となる（図６（ｂ）参照）。演出作動状態からモーター５０９が他方方向に回転した場合、図６（ｂ）の演出作動状態から図６（ａ）の初期位置状態に戻る。
【００４２】
炎回転飾り駆動装置５０７について説明する。炎回転飾り駆動装置５０７は、飾り取付板５０５の裏面における左右の中心位置を中心として左右対称に設けられた左右の炎回転飾り５０４；５０４を回転可能に駆動する装置であり、炎回転飾り５０４の回転支持機構５３５と、下可動体５０１を上下動させる力を炎回転飾り５０４を回転させる力に変換して炎回転飾り５０４に伝達する動力伝達機構５３６（図５参照）とを備える。
【００４３】
左右の炎回転飾り５０４；５０４の回転中心軸５４０；５４０が、飾り取付板５０５の裏面における左右の中心位置を中心として左右対称の位置より後方に突出して延長するように設けられ、左右の炎回転飾り５０４；５０４は、当該回転中心軸５４０が貫通する回転中心孔５４１；５４１を備える。そして、回転中心孔５４１の前側から当該回転中心孔５４１を貫通した回転中心軸５４０の後端面に当該回転中心軸５４０が回転中心孔５４１より抜けることを防止する図外の抜け止めが設けられていることにより、左右の炎回転飾り５０４；５０４が飾り取付板５０５の裏面に回転中心軸５４０を回転中心として回転可能に取付けられている。回転中心軸５４０は、遊技盤２０の盤面１９と直交又は交差して延長するように設けられる。尚、炎回転飾り５０４の回転中心孔５４１の前面と飾り取付板５０５の裏面との間に位置される回転中心軸５４０の周囲を取り巻くように付勢手段としてのコイルバネ５４５が設けられ、このコイルバネ５４５の一端が炎回転飾り５０４に固定され、このコイルバネ５４５の他端が回転中心軸５４０に固定されていることにより、各炎回転飾り５０４；５０４には各炎回転飾り５０４；５０４を互いに近づく方向に回転させる付勢力が付与されている。
即ち、回転支持機構５３５は、炎回転飾り５０４に設けられた回転中心孔５４１と、飾り取付板５０５の裏面より突出するよう設けられて回転中心孔５４１を貫通して回転中心孔５４１に回転可能に支持された回転中心軸５４０と、各炎回転飾り５０４；５０４に各炎回転飾り５０４；５０４を互いに近づく方向に回転させる付勢力を付与するコイルバネ５４５とを備えた構成である。
【００４４】
図４；図５に示すように、動力伝達機構５３６は、レール５１２の裏面に取付けられて当該レール５１２を後側ベース板５１６の前面より離した状態で当該前面に取付けるためのレール取付部材５５０と、レール取付部材５５０の裏面と後側ベース板５１６の前面との間に配置された動力変換スライダー５５１と、裏側スライダー５５２；５５２と、炎回転飾り５０４の裏面の下端側より後方に突出して延長するように設けられた力受軸５５３；５５３とを備える。
レール取付部材５５０は、上部には後方に延長する上突出部５５５を備えるとともに、下部にも後方に延長する下突出部５５６を備える。上突出部５５５及び下突出部５５６が後側ベース板５１６の前面と接触した状態でレール取付部材５５０と後側ベース板５１６とが連結され、レール取付部材５５０における上突出部５５５及び下突出部５５６以外の裏面と後側ベース板５１６の前面と間に、動力変換スライダー５５１を配置するための配置空間が形成される。
動力変換スライダー５５１は、スライダー５１３の延長方向である上下方向に延長する縦長穴５５７を備えるとともに縦長穴５５７の上に左右方向に延長する横長穴５５８を備えた孔付き板により形成される。上突出部５５５が動力変換スライダー５５１の縦長穴５５７の前側から縦長穴５５７内を貫通して後側ベース板５１６と連結され、力受軸５５３が動力変換スライダー５５１の横長穴５５８の前側から横長穴５５８内に挿入される。
裏側スライダー５５２；５５２は、飾り取付板５０５の裏面下部における左右の中心位置を中心として左右対称の位置より後方に突出して延長するように設けられた左右の裏側スライダー取付壁５６０；５６０の後端面にそれぞれ取付けられ、動力変換スライダー５５１の左右端側の裏面と後側ベース板５１６の前面との間にスライダー５１３の延長方向に沿って上下方向に移動可能に配置される。
【００４５】
炎回転飾り駆動装置５０７の組み立て方の一例を説明する。レール５１２の裏面に取付けられたレール取付部材５５０の裏面に、上突出部５５５が動力変換スライダー５５１の縦長穴５５７内に前側から挿入された状態となるように、動力変換スライダー５５１を配置し、かつ、飾り取付板５０５の裏面に取付けられた炎回転飾り５０４の力受軸５５３を動力変換スライダー５５１の横長穴５５８に前側から挿入する。さらに、飾り取付板５０５の左右の裏側スライダー取付壁５６０；５６０を動力変換スライダー５５１の左右の側縁の横に位置させ、左右の裏側スライダー５５２；５５２が動力変換スライダー５５１の左右縁部５５９；５５９（図７参照）の裏面に位置されるように左右の裏側スライダー５５２；５５２を左右の裏側スライダー取付壁の５６０；５６０の後端面に取付ける。その後、レール取付部材５５０の上突出部５５５と下突出部５５６とを後側ベース板５１６の前面に接触させた状態で当該上突出部５５５及び下突出部５５６と後側ベース板５１６とをねじ等で連結する。
以上により、炎回転飾り駆動装置５０７が構成される。
【００４６】
炎回転飾り駆動装置５０７の動作を図７に基づいて説明する。図７（ａ）に示すように、動力変換スライダー５５１の下端５６１と下突出部５５６とが接触し、縦長穴５５７の上端縁５６２と上突出部５５５とが接触した状態からさらに飾り取付板５０５が下方に移動した場合、各炎回転飾り５０４；５０４の各力受軸５５３；５５３がそれぞれ動力変換スライダー５５１の横長穴５５８の左右端縁に位置されて炎回転飾り５０４及び飾り取付板５０５が最下方に位置された状態となる。
炎回転飾り５０４及び飾り取付板５０５が最下方に位置された状態からモーター５０９を一方方向に駆動すると、図７（ｂ）に示すように、飾り取付板５０５が上方にするのに伴って動力変換スライダー５５１及び裏側スライダー５５２；５５２も上方に移動し、動力変換スライダー５５１の縦長穴５５７の下端縁５６３と上突出部５５５とが接触するまでの過程において、炎回転飾り５０４；５０４にコイルバネ５４５；５４５から加わる付勢力によって各炎回転飾り５０４；５０４が互いに近づく方向に回転し、炎回転飾り５０４；５０４の各力受軸５５３；５５３がそれぞれ動力変換スライダー５５１の横長穴５５８の左右端縁に位置されるまで回転する。
【００４７】
下可動体ユニット５００によれば、演出制御装置２００により制御される飾り取付板駆動装置５０６により、チャンピオンベルト飾り５０３が上方に移動して演出表示装置５０の表示画面５１の前方に位置されて遊技者から目視可能な演出作動状態となる過程において、各炎回転飾り５０４；５０４が左右下側から互いに近づく方向に回転し、演出表示装置５０の表示画面５１の前方に位置されて遊技者から目視可能な演出作動状態となるので、チャンピオンベルト飾り５０３が上方に移動して表示画面５１の前方に現れるチャンピオンベルト飾り出現演出と、チャンピオンベルト飾り５０３の上方移動に連動して左右の各炎回転飾り５０４；５０４が左右下側から互いに近づく方向に回動し、かつ、回動後にチャンピオンベルト飾り５０３の上方で各炎回転飾り５０４；５０４の炎が燃え上がるような演出作動状態を形成する炎回転飾り出現演出とが協働した複合演出を行うことが可能となる。
例えば、当該複合演出を、当該遊技における大当りの確定を印象付ける演出として採用することにより、大当り時に印象的な演出を遊技者に見せることができ、遊技者の期待感を高める演出が可能となる。
【００４８】
また、図示しないが、下可動体駆動装置５０２のリンク５２２には、下可動体５０１の初期状態位置検出用の被検出体が設けられ、ベース板５０８には、被検出体を検出して演出制御装置２００に下可動体５０１が初期状態位置に位置していることを示す信号を出力するセンサが設けられているので、演出制御装置２００は、下可動体５０１の初期状態を正確に把握でき、下可動体５０１の正確な位置制御を行えるようになっている。
【００４９】
可動体は演出制御装置２００による制御によって、図３に示す各可動体の初期位置状態から例えば図９に示す演出作動状態に制御される。
即ち、図９に示すように、下可動体５０１のチャンピオンベルト飾り５０３が上方に移動するとともに左右の炎回転飾り５０４；５０４が互いに近づくように上方に回動して、演出表示装置５０の表示画面５１の前方で、チャンピオンベルト飾り５０３の上方が炎回転飾り５０４；５０４の炎で燃えている状態の特徴的な協働演出が可能となる。
【００５０】
このように、下可動体５０１は、初期位置状態においては、演出表示装置５０の表示画面５１の前方に設けられた収容空間３１４において遊技盤２０の開口３４の下開口縁付近に位置されて当該開口縁付近を飾る飾り部品として機能し、かつ、演出作動状態においては、表示画面５１の中央側の前方に近づくように移動する際に左右の炎回転飾り５０４；５０４が特徴的な動きをして特徴的な演出を遊技盤２０の開口３４を介して前方の遊技者に見せるように制御される。
【００５１】
実施形態によれば、下可動体５０１が、遊技盤２０の盤面１９と直交又は交差して延長するように設けられた回転中心軸５４０を介して回転可能に設けられた左右対称の一対の左回転体及び右回転体としての左右の炎回転飾り５０４；５０４を備え、当該左右の炎回転飾り５０４；５０４は、下可動体５０１が遊技盤２０の開口３４の下縁側より表示画面５１の中央側の前方に移動するのに伴って互いに近づく方向に回転するように構成されたので、下可動体５０１の上方への移動と左右の炎回転飾り５０４；５０４の回転とによる特徴的な協働演出が可能となる。
【００５２】
また、下可動体５０１は、飾り取付板５０５と、当該飾り取付板５０５の前面に設けられた固定飾りとしてのチャンピオンベルト形状に形成されたチャンピオンベルト飾り５０３と、飾り取付板５０５の裏面に回転中心軸５４０を介して回転可能に設けられ前記チャンピオンベルト飾り５０３を強調する炎形状に形成された一対の左回転体及び右回転体としての左右の炎回転飾り５０４；５０４を備えたので、左右の炎回転飾り５０４；５０４でチャンピオンベルト飾り５０３を強調する特徴的な協働演出が可能となる。
【００５３】
尚、前記一対の左回転体及び右回転体は、前記固定飾りを強調する形状に形成されていればよい。例えば、前記固定飾りを孔雀の体を示す形状に形成し、前記一対の左回転体及び右回転体を孔雀の翼形状に形成し、翼を開いて孔雀の優雅さを強調する演出を行うように構成してもよい。
【符号の説明】
【００５４】
１  パチンコ機、２０  遊技盤、２９  遊技盤ユニット、３４  遊技盤の開口、
５０  演出表示装置、５１  表示画面、２００  演出制御装置（制御装置）、
５００  下可動体ユニット、５０１  下可動体、５０２  下可動体駆動装置、
５０３  チャンピオンベルト飾り（固定飾り）、
５０４  炎回転飾り（左右対称の一対の左回転体及び右回転体）、５０５  飾り取付板、
５４０  回転中心軸。
【図１】
2014004132.tif 000003
【図２】
2014004132.tif 000004
【図３】
2014004132.tif 000005
【図４】
2014004132.tif 000006
【図５】
2014004132.tif 000007
【図６】
2014004132.tif 000008
【図７】
2014004132.tif 000009
【図８】
2014004132.tif 000010
【図９】
2014004132.tif 000011